(57)【特許請求の範囲】
【請求項１】
ネットワークエンティティにおけるワイヤレス通信の方法であって、
送信時間間隔(TTI)の長さに少なくとも基づいて、ダウンリンク通信のための単一のコードワードに対応するコードワードフォーマットに従ってデータを送信すると決定するステップと、
前記コードワードフォーマットに従ってダウンリンク通信チャネル上で送信するための前記データを構成するステップと、
前記ダウンリンク通信チャネル上で前記データを送信するステップと
を備える方法。
【請求項２】
前記単一のコードワードが、ダウンリンク制御情報(DCI)内に、変調およびコーディング方式(MCS)、冗長バージョン(RV)、または新規データインジケータ(NDI)のうちの少なくとも1つの単一のセットを含む、請求項1に記載の方法。
【請求項３】
前記コードワードフォーマットに従って前記データを送信すると決定するステップが、トラフィックタイプにさらに基づき、前記トラフィックタイプが、超高信頼低レイテンシ通信(URLLC)に対応する、請求項2に記載の方法。
【請求項４】
アップリンク通信チャネル上で、前記単一のコードワードの受信失敗を示す否定応答(NACK)を受信するステップと、
前記コードワードフォーマットに従って、前記単一のコードワードと、別個のハイブリッド自動再送要求(HARQ)プロセス識別子を有する新しいコードワード送信または失敗したコードワード送信に対応する追加のコードワードとを送信するステップと
をさらに備える、請求項1に記載の方法。
【請求項５】
前記TTIが、短縮TTI(sTTI)に対応する、請求項1に記載の方法。
【請求項６】
前記コードワードフォーマットに従って前記ダウンリンク通信チャネル上で送信するための前記データを構成するステップが、
前記コードワードフォーマットが前記sTTIに関連付けられた前記単一のコードワードに対応すると決定するステップと、
前記コードワードフォーマットが前記sTTIに関連付けられた前記単一のコードワードに対応するとの決定に基づいて、送信するための前記データのバンドリングを控えるステップと
を含む、請求項5に記載の方法。
【請求項７】
前記コードワードフォーマットに従って前記データを送信すると決定するステップが、トラフィックタイプにさらに基づき、前記トラフィックタイプが、LTE超低レイテンシ(ULL)通信に対応する、請求項1に記載の方法。
【請求項８】
前記コードワードフォーマットに従って前記データを送信すると決定するステップが、短いパケット送信のレイテンシを低減するために、前記単一のコードワードに対応する前記コードワードフォーマットに従って、ニューラジオワイヤレス通信システムにおいてデータを送信すると決定するステップを含む、請求項1に記載の方法。
【請求項９】
ユーザ機器におけるワイヤレス通信の方法であって、
ダウンリンク通信のための単一のコードワードに対応するコードワードフォーマットに従ってダウンリンク通信チャネル上でネットワークエンティティからの送信を受信するステップであって、前記コードワードフォーマットが、送信時間間隔(TTI)の長さに少なくとも依存する、ステップと、
前記ネットワークエンティティからの前記送信を受信したことに応答して、アップリンク通信チャネル上で肯定応答(ACK)または否定応答(NACK)のうちの少なくとも1つを送信するステップと
を備える方法。
【請求項１０】
前記単一のコードワードに関連付けられた単一の新規データインジケータ(NDI)を検出するステップと、
いくつかのコードワードのうちの少なくとも1つに関連付けられた少なくとも1つのトランスポートブロックの受信失敗を決定するステップと
をさらに備え、
前記ACKまたは前記NACKのうちの前記少なくとも1つを送信するステップが、前記いくつかのコードワードのうちの少なくとも1つに関連付けられた少なくとも1つのトランスポートブロックの受信失敗を決定したことに基づいて、前記NACKを送信するステップを含む、
請求項9に記載の方法。
【請求項１１】
前記アップリンク通信チャネル上で送信する際に第1のTTI長が使用されるべきか、または第2のTTI長が使用されるべきかを決定するステップをさらに備え、
前記ACKまたは前記NACKのうちの前記少なくとも1つを送信するステップが、
前記アップリンク通信チャネル上で送信する際に前記第1のTTI長が使用されるべきであるとの決定に基づいて、ACK/NACKバンドリングに従って前記ACKまたは前記NACKのうちの前記少なくとも1つを送信するステップと、
前記アップリンク通信チャネル上で送信する際に前記第2のTTI長が使用されるべきであるとの決定に基づいて、ACK/NACKバンドリングに従った前記ACKまたは前記NACKのうちの前記少なくとも1つの送信を控えるステップと
を含む、請求項9に記載の方法。
【請求項１２】
ネットワークエンティティであって、
メモリと、
前記メモリと通信している少なくとも1つのプロセッサと
を備え、前記少なくとも1つのプロセッサが、
送信時間間隔(TTI)の長さに少なくとも基づいて、ダウンリンク通信のための単一のコードワードに対応するコードワードフォーマットに従ってデータを送信すると決定し、
前記コードワードフォーマットに従ってダウンリンク通信チャネル上で送信するための前記データを構成し、
前記ダウンリンク通信チャネル上で前記データを送信する
ように構成される、ネットワークエンティティ。
【請求項１３】
前記単一のコードワードが、ダウンリンク制御情報(DCI)内に、変調およびコーディング方式(MCS)、冗長バージョン(RV)、または新規データインジケータ(NDI)のうちの少なくとも1つの単一のセットを含む、請求項12に記載のネットワークエンティティ。
【請求項１４】
前記少なくとも1つのプロセッサが、トラフィックタイプに基づいて、前記コードワードフォーマットを送信すると決定するようにさらに構成され、前記トラフィックタイプが、超高信頼低レイテンシ通信(URLLC)に対応する、請求項13に記載のネットワークエンティティ。
【請求項１５】
前記少なくとも1つのプロセッサが、
アップリンク通信チャネル上で、前記単一のコードワードの受信失敗を示す否定応答(NACK)を受信することと、
前記コードワードフォーマットに従って、前記単一のコードワードと、別個のハイブリッド自動再送要求(HARQ)プロセス識別子を有する新しいコードワード送信または失敗したコードワード送信に対応する追加のコードワードとを送信することと
を行うようにさらに構成される、請求項12に記載のネットワークエンティティ。
【請求項１６】
前記TTIが、短縮TTI(sTTI)に対応する、請求項12に記載のネットワークエンティティ。
【請求項１７】
前記コードワードフォーマットに従って前記ダウンリンク通信チャネル上で送信するための前記データを構成するために、前記少なくとも1つのプロセッサが、
前記コードワードフォーマットが前記sTTIに関連付けられた前記単一のコードワードに対応すると決定することと、
前記コードワードフォーマットが前記sTTIに関連付けられた前記単一のコードワードに対応するとの決定に基づいて、送信するための前記データのバンドリングを控えることと
を行うようにさらに構成される、請求項16に記載のネットワークエンティティ。
【請求項１８】
前記少なくとも1つのプロセッサが、トラフィックタイプに基づいて、前記コードワードフォーマットを送信すると決定するようにさらに構成され、前記トラフィックタイプが、LTE超低レイテンシ(ULL)通信に対応する、請求項12に記載のネットワークエンティティ。
【請求項１９】
前記単一のコードワードが、ダウンリンク制御情報(DCI)内に、変調およびコーディング方式(MCS)、冗長バージョン(RV)、または新規データインジケータ(NDI)のうちの少なくとも1つの単一のセットを含む、請求項9に記載の方法。
【請求項２０】
ユーザ機器(UE)であって、
メモリと、
前記メモリと通信している少なくとも1つのプロセッサと
を備え、前記少なくとも1つのプロセッサが、
ダウンリンク通信のための単一のコードワードに対応するコードワードフォーマットに従ってダウンリンク通信チャネル上でネットワークエンティティからの送信を受信することであって、前記コードワードフォーマットが、送信時間間隔(TTI)の長さに少なくとも依存する、受信することと、
前記ネットワークエンティティからの前記送信を受信したことに応答して、アップリンク通信チャネル上で肯定応答(ACK)または否定応答(NACK)のうちの少なくとも1つを送信することと
を行うように構成される、ユーザ機器(UE)。
【請求項２１】
前記少なくとも1つのプロセッサが、
前記単一のコードワードに関連付けられた単一の新規データインジケータ(NDI)を検出することと、
いくつかのコードワードのうちの少なくとも1つに関連付けられた少なくとも1つのトランスポートブロックの受信失敗を決定することと
を行うようにさらに構成され、
前記ACKまたは前記NACKのうちの前記少なくとも1つを送信するために、前記少なくとも1つのプロセッサが、前記いくつかのコードワードのうちの少なくとも1つに関連付けられた少なくとも1つのトランスポートブロックの受信失敗を決定したことに基づいて、前記NACKを送信するようにさらに構成される、
請求項20に記載のUE。
【請求項２２】
前記少なくとも1つのプロセッサが、前記アップリンク通信チャネル上で送信する際に第1のTTI長が使用されるべきか、または第2のTTI長が使用されるべきかを決定するようにさらに構成され、
前記ACKまたは前記NACKのうちの前記少なくとも1つを送信するために、前記少なくとも1つのプロセッサが、
前記アップリンク通信チャネル上で送信する際に前記第1のTTI長が使用されるべきであるとの決定に基づいて、ACK/NACKバンドリングに従って前記ACKまたは前記NACKのうちの前記少なくとも1つを送信することと、
前記アップリンク通信チャネル上で送信する際に前記第2のTTI長が使用されるべきであるとの決定に基づいて、ACK/NACKバンドリングに従った前記ACKまたは前記NACKのうちの前記少なくとも1つの送信を控えることと
を行うようにさらに構成される、請求項20に記載のUE。
【請求項２３】
ワイヤレス通信のための装置であって、
送信時間間隔(TTI)の長さに少なくとも基づいて、ダウンリンク通信のための単一のコードワードに対応するコードワードフォーマットに従ってデータを送信すると決定するための手段と、
前記コードワードフォーマットに従ってダウンリンク通信チャネル上で送信するための前記データを構成するための手段と、
前記ダウンリンク通信チャネル上で前記データを送信するための手段と
を備える装置。
【発明の詳細な説明】
【技術分野】
【０００１】
関連出願の相互参照
本特許出願は、その全体が参照により本明細書に明確に組み込まれる、2018年2月7日に出願された「CONTROL OVERHEAD REDUCTION FOR LOW LATENCY COMMUNICATION SYSTEMS」と題する米国非仮出願第15/890,965号、および2017年2月13日に出願された「CONTROL OVERHEAD REDUCTION FOR LOW LATENCY COMMUNICATION SYSTEMS」と題する米国仮出願第62/458,399号の優先権を主張する。
【０００２】
本開示の態様は、一般にワイヤレス通信ネットワークに関し、より詳細には、ニューラジオワイヤレス通信システムにおける制御オーバーヘッドを低減することに関する。
【背景技術】
【０００３】
ワイヤレス通信ネットワークは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能な、多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(ニューラジオ(NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンドと、レイテンシおよび信頼性についてのいくつかの仕様を有する超低レイテンシ(ULL: ultra-low latency)および/または超高信頼低レイテンシ通信(URLLC: ultra-reliable-low latency communications)と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、NR通信技術以降におけるさらなる改善が望まれ得る。
【０００５】
たとえば、NR通信技術以降の場合、制御オーバーヘッドは、効率的な動作のための所望のレベルの速度またはカスタマイズを妨げることがある。したがって、ワイヤレス通信動作における改善が望まれ得る。
【発明の概要】
【課題を解決するための手段】
【０００６】
以下で、1つまたは複数の態様の基本的理解を与えるために、そのような態様の簡略化された概要を提示する。この概要は、すべての企図される態様の包括的な概説ではなく、すべての態様の主要または重要な要素を識別するものでもなく、いずれかまたはすべての態様の範囲を定めるものでもない。その唯一の目的は、後で提示するより詳細な説明の前置きとして、1つまたは複数の態様のいくつかの概念を簡略化された形で提示することである。
【０００７】
一態様では、本開示は、ネットワークエンティティにおけるワイヤレス通信のための方法を含む。方法は、送信時間間隔(TTI)もしくはデータのトラフィックタイプのうちの少なくとも1つ、またはそれらの任意の組合せに基づいて、コードワードフォーマットに従ってデータを送信すると決定するステップを含み得る。さらに、方法は、コードワードフォーマットに従って通信チャネル上で送信するためのデータを構成するステップを含み得る。方法は、通信チャネル上でデータを送信するステップを含み得る。
【０００８】
別の態様では、ネットワークエンティティは、メモリと、メモリと通信している少なくとも1つのプロセッサとを備える。少なくとも1つのプロセッサは、TTIもしくはデータのトラフィックタイプのうちの少なくとも1つ、またはそれらの任意の組合せに基づいて、コードワードフォーマットに従ってデータを送信すると決定するように構成され得る。少なくとも1つのプロセッサは、コードワードフォーマットに従って通信チャネル上で送信するためのデータを構成し、通信チャネル上でデータを送信するようにさらに構成され得る。
【０００９】
追加の態様では、ネットワークエンティティにおけるワイヤレス通信のための装置は、TTIもしくはデータのトラフィックタイプのうちの少なくとも1つ、またはそれらの任意の組合せに基づいて、コードワードフォーマットに従ってデータを送信すると決定するための手段を含み得る。装置は、コードワードフォーマットに従って通信チャネル上で送信するためのデータを構成するための手段と、通信チャネル上でデータを送信するための手段とをさらに含み得る。
【００１０】
また別の態様では、ネットワークエンティティにおけるワイヤレス通信のためのプロセッサによって実行可能なコンピュータコードを記憶するコンピュータ可読媒体は、TTIもしくはデータのトラフィックタイプのうちの少なくとも1つ、またはそれらの任意の組合せに基づいて、コードワードフォーマットに従ってデータを送信すると決定するためのコードを含み得る。コンピュータ可読媒体は、コードワードフォーマットに従って通信チャネル上で送信するためのデータを構成するためのコードと、通信チャネル上でデータを送信するためのコードとをさらに含み得る。
【００１１】
一態様では、本開示は、ユーザ機器におけるワイヤレス通信のための方法を含む。方法は、第1のコードワードフォーマットまたは第2のコードワードフォーマットのうちの1つに従ってダウンリンク通信チャネル上でネットワークエンティティからの送信を受信するステップであって、第1のコードワードフォーマットおよび第2のコードワードフォーマットが、TTIもしくはデータのトラフィックタイプのうちの少なくとも1つ、またはそれらの任意の組合せに依存する、ステップを含み得る。方法は、ネットワークエンティティからの送信を受信したことに応答して、アップリンク通信チャネル上で肯定応答(ACK)または否定応答(NACK)のうちの少なくとも1つを送信するステップをさらに含み得る。
【００１２】
別の態様では、ユーザ機器(UE)は、メモリと、メモリと通信している少なくとも1つのプロセッサとを備える。少なくとも1つのプロセッサは、コードワードフォーマットに従ってダウンリンク通信チャネル上でネットワークエンティティからの送信を受信することであって、コードワードフォーマットが、TTIもしくはデータのトラフィックタイプのうちの少なくとも1つ、またはそれらの任意の組合せに依存する、受信することを行うように構成され得る。少なくとも1つのプロセッサは、ネットワークエンティティからの送信を受信したことに応答して、アップリンク通信チャネル上でACKまたはNACKのうちの少なくとも1つを送信するようにさらに構成され得る。
【００１３】
追加の態様では、ユーザ機器におけるワイヤレス通信のための装置は、コードワードフォーマットに従ってダウンリンク通信チャネル上でネットワークエンティティからの送信を受信するための手段であって、コードワードフォーマットが、TTIもしくはデータのトラフィックタイプのうちの少なくとも1つ、またはそれらの任意の組合せに依存する、手段を含み得る。装置は、ネットワークエンティティからの送信を受信したことに応答して、アップリンク通信チャネル上でACKまたはNACKのうちの少なくとも1つを送信するための手段をさらに含み得る。
【００１４】
また別の態様では、ユーザ機器におけるワイヤレス通信のためのプロセッサによって実行可能なコンピュータコードを記憶するコンピュータ可読媒体は、コードワードフォーマットに従ってダウンリンク通信チャネル上でネットワークエンティティからの送信を受信するためのコードであって、コードワードフォーマットが、TTIもしくはデータのトラフィックタイプのうちの少なくとも1つ、またはそれらの任意の組合せに依存する、コードを含み得る。コンピュータ可読媒体は、ネットワークエンティティからの送信を受信したことに応答して、アップリンク通信チャネル上でACKまたはNACKのうちの少なくとも1つを送信するためのコードをさらに含み得る。
【００１５】
さらに、本開示はまた、上記で説明した方法を実行するように構成された構成要素または上記で説明した方法を実行するための手段を有する装置と、上記で説明した方法を実行するためにプロセッサによって実行可能な1つまたは複数のコードを記憶するコンピュータ可読媒体とを含む。
【００１６】
上記の目的および関係する目的を達成するために、1つまたは複数の態様は、以下で十分に説明し、特に特許請求の範囲で指摘する特徴を備える。以下の説明および添付の図面は、1つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むものである。
【００１７】
開示する態様について、開示する態様を限定するためではなく例示するために提供される添付の図面に関して以下で説明し、同様の名称は同様の要素を示している。
【図面の簡単な説明】
【００１８】
【図１】特定のコードワードフォーマットに従ってデータを送信するように構成されたコードワードフォーマット構成要素を有する少なくとも1つの基地局と、肯定応答(ACK)または否定ACK(NACK)を送信するように構成された受信決定構成要素を有する少なくとも1つのユーザ機器(UE)とを含む、ワイヤレス通信ネットワークの概略図である。
【図２】ネットワークエンティティにおけるワイヤレス通信の方法の一例の流れ図である。
【図３】UEにおけるワイヤレス通信の方法の一例の流れ図である。
【図４】図1のUEの例示的な構成要素の概略図である。
【図５】図1の基地局の例示的な構成要素の概略図である。
【発明を実施するための形態】
【００１９】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践され得ることは明らかであろう。加えて、本明細書で使用する「構成要素」という用語は、システムを構成する部品の1つであってもよく、ハードウェア、ファームウェア、および/またはコンピュータ可読媒体上に記憶されるソフトウェアであってもよく、他の構成要素に分割されてもよい。
【００２０】
本開示は、一般に、ニューラジオワイヤレス通信システムにおける制御オーバーヘッドを低減することに関する。具体的には、LTE ULLおよび/またはLTE URLLCなどの低レイテンシ通信システムでは、比較的短いパケットが小さいレイテンシで送信され得る。たとえば、LTE URLLCでは、(たとえば、送信機と受信機との間の)1ミリ秒(ms)のエンドツーエンドレイテンシを有する32バイトパケットが送信され得る。そのような通信システムでは、制御オーバーヘッドはレイテンシに影響を及ぼすことがあり、その結果、制御オーバーヘッドの増加は、それに対応してレイテンシを増加させ、したがって、通信効率/性能を低減することがある。したがって、レイテンシを低減するために、ニューラジオワイヤレス通信システムにおけるオーバーヘッド低減が望ましいことがある。
【００２１】
いくつかのレガシー通信システム(たとえば、LTE)では、各サブフレームを用いて、トランスポートブロック(TB)ごとに2つまでのコードワード(CW)が送信のためにスケジュールされ得る。すなわち、各コードワードは1つのTBにマッピングされ得る。コードワードは、物理チャネル上で送信されるべきデータの別個のストリームであり得る。詳細には、ダウンリンク制御情報(DCI)は、2つのCWの各々の中の変調およびコーディング方式(MCS)、冗長バージョン(RV)、および/または新規データインジケータ(NDI)に関する1つまたは複数のパラメータを含むか、または他の方法で示し得る。たとえば、CWごとに、5ビットのMCS指示、2ビットのRV指示、および1ビットのNDI指示が、DCI内に収容されるかまたは含まれることがある。したがって、2つのCWを送信するために、16ビットが利用され得る。さらに、アップリンクでは、構成された各コンポーネントキャリア(CC)を介してCWごとに肯定応答(ACK)または否定応答(NACK)を送信するために、2ビットが利用され得る。したがって、低レイテンシ通信システムにおいて上記のレガシー送信構造を適用することは、制御オーバーヘッドが極めて高いままになるので、望ましくないであろう。むしろ、レイテンシ通信システムにおけるアップリンク通信とダウンリンク通信の両方について制御オーバーヘッドを低減することが望ましいであろう。
【００２２】
したがって、本態様は、ダウンリンクとアップリンクの両方に対する制御オーバーヘッド低減を実現し得る。たとえば、一態様では、ネットワークエンティティは、送信時間間隔(TTI)もしくはデータのトラフィックタイプのうちの少なくとも1つ、またはそれらの任意の組合せに基づいて、コードワードフォーマットに従ってデータを送信すると決定し得る。ネットワークエンティティはさらに、コードワードフォーマットに従って通信チャネル上で送信するためのデータを構成し、通信チャネル上でデータを送信することに進み得る。加えて、一態様では、ユーザ機器(UE)は、コードワードフォーマットに従ってダウンリンク通信チャネル上でネットワークエンティティからの送信を受信し得、データが受信されたかどうかに基づいて、アップリンク通信チャネル上で肯定応答(ACK)または否定応答(NACK)のうちの少なくとも1つを送信し得る。したがって、コードワードフォーマットは、ネットワークエンティティおよび/またはUEに、アップリンク上の各コードワードおよび/または肯定応答構造内にまたはその一部として含まれるべきオーバーヘッド(たとえば、MCS、RV、および/またはNDI)の量を示し得る。
【００２３】
本態様の追加の特徴は、図1〜図5に関して以下でより詳細に説明される。
【００２４】
本明細書で説明する技法は、CDMA、TDMA、FDMA、OFDMA、SC-FDMA、および他のシステムなどの様々なワイヤレス通信ネットワークに使用され得ることに留意されたい。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２５】
以下の説明は例を提供するものであり、特許請求の範囲に記載される範囲、適用可能性、または例を限定するものではない。本開示の範囲から逸脱することなく、説明する要素の機能および構成に変更が加えられてもよい。様々な例は、適宜に、様々な手順または構成要素を省略し、置換し、または追加することがある。たとえば、説明する方法は、説明する順序とは異なる順序で実行されてもよく、様々なステップが追加され、省略され、または組み合わされることがある。また、いくつかの例に関して説明する特徴は、他の例において組み合わされることがある。
【００２６】
図1を参照すると、本開示の様々な態様によれば、例示的なワイヤレス通信ネットワーク100は、ダウンリンク通信チャネル上でコードワードフォーマットに従って送信されたデータを受信したことに応答して、肯定応答(ACK)が送信され得るか否定応答(NACK)が送信され得るかを決定する受信決定構成要素150を有するモデム140を備える少なくとも1つのUE110を含み得る。さらに、ワイヤレス通信ネットワーク100は、たとえば、送信時間間隔(TTI)および/またはデータのトラフィックタイプに基づいて、コードワードフォーマット(たとえば、第1のコードワードフォーマット174または第2のコードワードフォーマット176)に従ってデータを送信すると決定するコードワードフォーマット構成要素170を有するモデム160を備える少なくとも1つの基地局105を含み得る。
【００２７】
したがって、本開示によれば、LTE URLLCにおけるオーバーヘッドを低減するために、コードワードフォーマット構成要素170は、第1のコードワードフォーマット174に従ってコードワードの数を単一のコードワードに制限し得る。コードワードフォーマットは、所与のオーバーヘッドを有するデータ構造であり得る。すなわち、MCS、RV、および/またはNDI情報の単一のセットを含むTB関連の情報の単一のセットが、DCIの一部として含まれ得る。したがって、第1のコードワードフォーマット174を使用すると、MCS、RV、および/またはNDI情報の単一のセットがコードワード送信の一部として含まれるので、制御オーバーヘッドは8ビットに低減され得る。さらに、コードワードフォーマット構成要素170は、特にLTE ULLにおけるオーバーヘッドを低減する第2のコードワードフォーマット176に従って送信をフォーマットするおよび/または構成することができる。たとえば、第2のコードワードフォーマット176は、1つまたは2つのコードワードを含み得る。しかしながら、第2のコードワードフォーマット176に従って2つのコードワードを使用してオーバーヘッドを低減するために、コードワードフォーマット構成要素170は、ACK/NACKバンドリングを伴う共有NDI(たとえば、1ビットのオーバーヘッド低減をもたらす)、両方のコードワードにわたる共有RV(たとえば、2ビットのオーバーヘッド低減をもたらす)、および両方のコードワードに対する同じMCS(たとえば、5ビットのオーバーヘッド低減をもたらす)を送信し得る。いくつかの態様では、共有RVは、同じNDIを使用することの結果として、または同じNDIを使用することに基づいて、両方のコードワードにわたって共有され得る。
【００２８】
モデム160はまた、UE110から欠落データの少なくとも1つの指示を受信したことに応答して、データ(たとえば、コードワード)を再送信するように構成され得る再送信構成要素172を含み得る。いくつかの態様では、再送信構成要素172は、ハイブリッド自動再送要求(HARQ)に従ってデータを再送信するように構成され得る。たとえば、レガシーLTEでは、2つのコードワードが構成されるとき、それらのHARQプロセス識別子は同じであり得る。いくつかの態様では、(たとえば、オーバーヘッド低減に対して課される)この制約のせいで、1つのコードワードが失敗した場合、再送信機会は、異なるHARQプロセス識別子を有する別のコードワードとともに失敗したコードワードを送るために使用されないことがある。むしろ、失敗したコードワードのみが再送信され得る。
【００２９】
それにもかかわらず、ダウンリンクHARQが非同期であり得る(たとえば、特定のタイミングパターン/スケジュールに従わない)と仮定すると、送信/再送信は、再送信構成要素172を介して、より速く実行/完了され得る。具体的には、再送信構成要素172は、失敗したコードワードだけでなく、異なるHARQプロセス識別子を有する新しいコードワードまたは任意の他の失敗したコードワードのいずれかも送信/再送信し得る。さらに、いくつかの態様では、第1のコードワードフォーマット174および/または第2のコードワードフォーマット176は、コードワードごとのHARQプロセス識別子を示すための1つまたは複数の追加のビットを含み得る。そのような構成は、LTE通信システムおよび/またはULL通信システムに適用され得る。
【００３０】
加えて、ワイヤレス通信ネットワーク100は、UE110をさらに含み得、UE110は、基地局105からの送信を受信したことに応答して、ACK152またはNACK154を送信するように構成された受信決定構成要素150を含み得る。具体的には、一例では、UE110は、第1のコードワードフォーマット174に従って送信された、基地局105からの送信を受信し得る。UE110が(たとえば、欠落パケットまたは受信失敗なしで)データ全体を受信したかどうかに基づいて、UE110は、(たとえば、キャリアごとに)アップリンク通信チャネル上で1ビットのACKまたはNACKを送信し得る。
【００３１】
さらに、UE110は、ACK/NACKバンドリング構成要素158を介して、時間領域、周波数領域、および/または空間領域にわたってACK/NACKをバンドルし得る。時間領域および空間領域にわたる送信は相関され得、したがって、バンドリングによって引き起こされる損失は重大ではないことがある。時間にわたるバンドリングは、複数の短縮物理ダウンリンク共有チャネル(sPDSCH: shortened physical downlink shared channel)が同じ(短縮)物理アップリンク制御チャネル(s)PUCCHにマッピングするときに利用され得る。1つまたは複数のチャネルは、異なるキャリアにわたって相関されないことがあるので、周波数(たとえば、異なるコンポーネントキャリア)にわたるバンドリングは、システム性能を低下させることがある。
【００３２】
したがって、ACK/NACKバンドリングは、ACK/NACKバンドリング構成要素158を介して構成可能であり得る。たとえば、いくつかの態様では、ダウンリンクにおける2シンボルのsTTI長/サイズおよびアップリンクにおける2シンボルのsTTI長/サイズを用いて、ACK/NACKバンドリングが採用され得る。しかしながら、アップリンクにおける2シンボルのsTTI長/サイズが1msのアップリンク長/サイズと一致する事例があり得る。場合によっては、アップリンク上のsTTIがドロップされることがあり、アップリンク制御情報(UCI)がより長いアップリンクTTI長/サイズを介して送られることがある。したがって、そのような場合、ACK/NACKバンドリングは利用されないことがある。
【００３３】
いくつかの態様では、ACK/NACKバンドリングの構成は、sTTI長に依存し得る。たとえば、ACK/NACKバンドリング構成要素158は2シンボルのアップリンク送信長/サイズが使用される場合にはバンドルし得るが、単一スロットのsTTI長/サイズが利用されるときはバンドルしないことがある。したがって、基地局105がとにかく両方のコードワード(またはTB)を送信し得るので、受信決定構成要素150を介した、UE110がコードワードの受信に失敗した(TBのうちの1つの失敗に対応する)との決定に基づいて、1ビットのNACKが基地局105に送信され得る。いくつかの態様では、ACK/NACKバンドリングに関する態様は、第1のコードワードフォーマット174および/または第2のコードワードフォーマット176に従って受信されたデータに適用され得る。
【００３４】
ワイヤレス通信ネットワーク100は、1つまたは複数の基地局105と、1つまたは複数のUE110と、コアネットワーク115とを含み得る。コアネットワーク115は、ユーザ認証、アクセス許可、トラッキング、インターネットプロトコル(IP)接続性、および他のアクセス機能、ルーティング機能、またはモビリティ機能を提供し得る。基地局105は、バックホールリンク120(たとえば、S1など)を通じてコアネットワーク115とインターフェースし得る。基地局105は、UE110との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク120(たとえば、X1など)を介して、直接的または間接的に(たとえば、コアネットワーク115を通じて)のいずれかで、互いと通信し得る。
【００３５】
基地局105は、1つまたは複数の基地局アンテナを介してUE110とワイヤレス通信し得る。基地局105の各々は、それぞれの地理的カバレージエリア130に通信カバレージを提供し得る。いくつかの例では、基地局105は、基地トランシーバ局、無線基地局、アクセスポイント、アクセスノード、無線トランシーバ、ノードB、eノードB(eNB)、gノードB(gNB: gNodeB)、ホームノードB、ホームeノードB、リレー、または何らかの他の適切な用語で呼ばれることがある。基地局105のための地理的カバレージエリア130は、カバレージエリアの一部分のみを構成するセクタまたはセル(図示せず)に分割され得る。ワイヤレス通信ネットワーク100は、異なるタイプの基地局105(たとえば、以下で説明するマクロ基地局またはスモールセル基地局)を含み得る。加えて、複数の基地局105は、複数の通信技術(たとえば、5G(ニューラジオまたは「NR」)、第4世代(4G)/LTE、3G、Wi-Fi、Bluetooth(登録商標)など)のうちの異なる通信技術に従って動作することがあり、したがって、異なる通信技術のための重複する地理的カバレージエリア130があり得る。
【００３６】
いくつかの例では、ワイヤレス通信ネットワーク100は、ニューラジオ(NR)もしくは5G技術、ロングタームエボリューション(LTE)もしくはLTEアドバンスト(LTE-A)もしくはMuLTEfire技術、Wi-Fi技術、Bluetooth(登録商標)技術、または任意の他の長距離もしくは短距離ワイヤレス通信技術を含む通信技術のうちの1つまたは任意の組合せであり得るか、またはそれらを含み得る。LTE/LTE-A/MuLTEfireネットワークでは、発展型ノードB(eNB)という用語は、一般に基地局105を表すために使用され得るが、UEという用語は、一般にUE110を表すために使用され得る。ワイヤレス通信ネットワーク100は、異なるタイプのeNBが様々な地理的領域にカバレージを提供する、異種技術ネットワークであり得る。たとえば、各eNBまたは基地局105は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３７】
マクロセルは、一般に、比較的大きい地理的エリア(たとえば、半径数キロメートル)をカバーすることができ、ネットワークプロバイダのサービスに加入しているUE110による無制限アクセスを可能にし得る。
【００３８】
スモールセルは、マクロセルと比較して、マクロセルと同じまたはマクロセルとは異なる周波数帯域(たとえば、認可、無認可など)で動作し得る、送信電力が比較的低い基地局を含み得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE110による無制限アクセスを可能にし得る。フェムトセルも、小さい地理的エリア(たとえば、自宅)をカバーすることができ、フェムトセルとの関連付けを有するUE110(たとえば、制限付きアクセスの場合、自宅内のユーザのためのUE110を含み得る、基地局105の限定加入者グループ(CSG)内のUE110など)による制限付きアクセスおよび/または無制限アクセスを提供し得る。マイクロセルは、ピコセルおよびフェムトセルよりも大きいが、マクロセルよりも小さい地理的エリアをカバーすることができる。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３９】
様々な開示する例のうちのいくつかに適応し得る通信ネットワークは、階層化プロトコルスタックに従って動作するパケットベースネットワークであることがあり、ユーザプレーンにおけるデータは、IPに基づき得る。ユーザプレーンプロトコルスタック(たとえば、パケットデータコンバージェンスプロトコル(PDCP)、無線リンク制御(RLC)、MACなど)は、論理チャネルを介して通信するためにパケットセグメンテーションおよびリアセンブリを実行し得る。たとえば、MACレイヤは、優先処理と、トランスポートチャネルへの論理チャネルの多重化とを実行し得る。MACレイヤはまた、MACレイヤにおける再送信を行ってリンク効率を改善するために、ハイブリッド自動再送/要求(HARQ)を使用し得る。制御プレーンでは、RRCプロトコルレイヤは、UE110と基地局105との間のRRC接続の確立、構成、および維持を提供し得る。RRCプロトコルレイヤはまた、ユーザプレーンデータのための無線ベアラのコアネットワーク115サポートに使用され得る。物理(PHY)レイヤにおいて、トランスポートチャネルは物理チャネルにマッピングされ得る。
【００４０】
UE110は、ワイヤレス通信ネットワーク100全体にわたって分散される場合があり、各UE110は、固定またはモバイルであり得る。UE110はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含んでもよく、またはそのように当業者によって呼ばれることがある。UE110は、セルラーフォン、スマートフォン、携帯情報端末(PDA)、ワイヤレスモデム、ワイヤレス通信デバイス、ハンドヘルドデバイス、タブレットコンピュータ、ラップトップコンピュータ、コードレスフォン、スマートウォッチ、ワイヤレスローカルループ(WLL)局、エンターテインメントデバイス、車両構成要素、顧客構内機器(CPE)、またはワイヤレス通信ネットワーク100内で通信することが可能な任意のデバイスであってもよい。加えて、UE110は、モノのインターネット(IoT)および/またはマシンツーマシン(M2M)タイプのデバイス、たとえば、いくつかの態様では、ワイヤレス通信ネットワーク100または他のUEとまれに通信し得る(たとえば、ワイヤレスフォンと比較して)低電力、低データレートタイプのデバイスであってもよい。UE110は、マクロeNB、スモールセルeNB、マクロgNB、スモールセルgNB、中継基地局などを含む、様々なタイプの基地局105およびネットワーク機器と通信することが可能であり得る。
【００４１】
UE110は、1つまたは複数の基地局105との1つまたは複数のワイヤレス通信リンク135を確立するように構成され得る。ワイヤレス通信ネットワーク100内に示されているワイヤレス通信リンク135は、UE110から基地局105へのアップリンク(UL)送信、または基地局105からUE110へのダウンリンク(DL)送信を搬送し得る。ダウンリンク送信は、順方向リンク送信と呼ばれることもあり、アップリンク送信は、逆方向リンク送信と呼ばれることもある。各ワイヤレス通信リンク135は、1つまたは複数のキャリアを含むことがあり、各キャリアは、上記で説明した様々な無線技術に従って変調された複数のサブキャリア(たとえば、異なる周波数の波形信号)からなる信号であり得る。各被変調信号は、異なるサブキャリア上で送られてもよく、制御情報(たとえば、基準信号、制御チャネルなど)、オーバーヘッド情報、ユーザデータなどを搬送し得る。一態様では、ワイヤレス通信リンク135は、(たとえば、対スペクトルリソースを使用する)周波数分割複信(FDD)動作または(たとえば、不対スペクトルリソースを使用する)時分割複信(TDD)動作を使用して双方向通信を送信し得る。FDD(たとえば、フレーム構造タイプ1)およびTDD(たとえば、フレーム構造タイプ2)のためのフレーム構造が定義され得る。さらに、いくつかの態様では、ワイヤレス通信リンク135は、1つまたは複数のブロードキャストチャネルを表し得る。
【００４２】
ワイヤレス通信ネットワーク100のいくつかの態様では、基地局105またはUE110は、アンテナダイバーシティ方式を採用して基地局105とUE110との間の通信品質および信頼性を改善するための複数のアンテナを含み得る。追加または代替として、基地局105またはUE110は、同じまたは異なるコード化データを搬送する複数の空間レイヤを送信するためにマルチパス環境を利用し得る、多入力多出力(MIMO)技法を採用し得る。
【００４３】
ワイヤレス通信ネットワーク100は、複数のセルまたはキャリア上での動作、すなわち、キャリアアグリゲーション(CA)またはマルチキャリア動作と呼ばれることがある特徴をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用されることがある。UE110は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方を用いて使用され得る。基地局105およびUE110は、各方向における送信に使用される合計YxMHz(x=コンポーネントキャリアの数)までのキャリアアグリゲーションにおいて割り振られた、キャリア当たりYMHz(たとえば、Y=5、10、15、または20MHz)帯域幅までのスペクトルを使用し得る。キャリアは、互いに隣接することも、隣接しないこともある。キャリアの割振りは、DLおよびULに対して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含み得る。1次コンポーネントキャリアは1次セル(PCell)と呼ばれることがあり、2次コンポーネントキャリアは2次セル(SCell)と呼ばれることがある。
【００４４】
ワイヤレス通信ネットワーク100は、無認可周波数スペクトル(たとえば、5GHz)における通信リンクを介して、Wi-Fi技術に従って動作するUE110、たとえば、Wi-Fi局(STA)と通信している、Wi-Fi技術に従って動作する基地局105、たとえば、Wi-Fiアクセスポイントをさらに含み得る。無認可周波数スペクトルにおいて通信するとき、STAおよびAPは、チャネルが利用可能であるかどうかを決定するために、通信する前にクリアチャネルアセスメント(CCA)またはリッスンビフォアトーク(LBT)手順を実行し得る。
【００４５】
加えて、基地局105および/またはUE110のうちの1つまたは複数は、ミリ波(mmWまたはmmwave)技術と呼ばれるNRまたは5G技術に従って動作し得る。たとえば、mmW技術は、mmW周波数および/または準mmW周波数における送信を含む。極高周波(EHF)は、電磁スペクトルにおける無線周波数(RF)の一部である。EHFは、30GHz〜300GHzの範囲および1ミリメートルから10ミリメートルの間の波長を有する。この帯域における電波は、ミリ波と呼ばれることがある。準mmWは、100ミリメートルの波長を有し、3GHzの周波数まで及ぶことがある。たとえば、超高周波(SHF)帯域は、3GHzから30GHzの間に及び、センチメートル波と呼ばれることもある。mmWおよび/または準mmW無線周波数帯域を使用する通信は、極めて高い経路損失および短距離を有する。したがって、mmW技術に従って動作する基地局105および/またはUE110は、極めて高い経路損失および短距離を補償するために、その送信においてビームフォーミングを利用し得る。
【００４６】
図2を参照すると、たとえば、ニューラジオ環境における制御オーバーヘッド低減を実現するために上記で説明した態様に従って基地局105などのネットワークエンティティを動作させる際のワイヤレス通信の方法300は、本明細書で定義するアクションのうちの1つまたは複数を含む。破線を有するものとして示されるブロックは、任意選択であってもよい。
【００４７】
ブロック302において、方法300は、TTIもしくはデータのトラフィックタイプのうちの少なくとも1つ、またはそれらの任意の組合せに基づいて、コードワードフォーマットに従ってデータを送信すると決定し得る。たとえば、一態様では、基地局105は、TTI(たとえば、TTI長)もしくはデータのトラフィックタイプのうちの少なくとも1つ、またはそれらの任意の組合せに基づいて、コードワードフォーマット(たとえば、第1のコードワードフォーマット174または第2のコードワードフォーマット176)に従ってデータを送信すると決定するために、コードワード構成要素170を実行し得る。
【００４８】
いくつかの態様では、第1のコードワードフォーマット174は、DCI内にMCS、RV、またはNDIのうちの少なくとも1つの単一のセットを有する単一のコードワードを含み得る。さらに、いくつかの態様では、トラフィックタイプは、URLLC(たとえば、第1のコードワードフォーマット174の場合)に対応し得る。
【００４９】
いくつかの態様では、第2のコードワードフォーマット176は、2つのコードワードにわたって共有される単一のMCS、単一のRV、および/または単一のNDIを有する2つのコードワードを含み得る。さらに、TTIは、sTTIに対応し得る。加えて、トラフィックタイプは、LTE ULL通信(たとえば、第1のコードワードフォーマット176の場合)に対応し得る。
【００５０】
ブロック304において、方法300は、コードワードフォーマットに従って通信チャネル上で送信するためのデータを構成し得る。たとえば、一態様では、基地局105は、コードワードフォーマット(たとえば、第1のコードワードフォーマット174または第2のコードワードフォーマット176)に従って通信チャネル上で送信するためのデータを構成するために、コードワード構成要素170を実行し得る。
【００５１】
ブロック306において、方法300は、通信チャネル上でデータを送信し得る。たとえば、一態様では、基地局105は、通信チャネル上でデータを送信するために、モデム160を実行し得る。
【００５２】
さらに、いくつかの態様では、送信されたデータは、少なくとも1つのコードワードに関連付けられ得る。図示されていないが、方法300は、アップリンク通信チャネル上で、少なくとも1つのコードワードの受信失敗を示すNACK154を受信し、コードワードフォーマット(たとえば、第1のコードワードフォーマット174または第2のコードワードフォーマット176)に従って、少なくとも1つのコードワードと、別個のHARQプロセス識別子を有する新しいコードワード送信または失敗したコードワード送信に対応する追加のコードワードとを送信してもよい。いくつかの態様では、新しいHARQ識別子はDCIに含まれ得る。
【００５３】
いくつかの態様では、コードワードフォーマットに従って通信チャネル上で送信するためのデータを構成することは、コードワードフォーマットがsTTIに関連付けられた単一のコードワードに対応するかまたは2つのコードワードに対応するかを決定することと、コードワードフォーマットが2つのコードワードに対応するとの決定に基づいて、送信するためのデータをバンドルすることと、コードワードフォーマットがsTTIに関連付けられた単一のコードワードに対応するとの決定に基づいて、送信するためのデータのバンドリングを控えることとを含み得る。
【００５４】
図3を参照すると、たとえば、コードワードフォーマットに従ってデータを受信したことに応答して、ACKまたはNACKのうちの少なくとも1つを送信するために上記で説明した態様に従ってUE110を動作させる際のワイヤレス通信の方法400は、本明細書で定義するアクションのうちの1つまたは複数を含む。破線を有するものとして示されるブロックは、任意選択であってもよい。
【００５５】
ブロック402において、方法400は、コードワードフォーマットに従ってダウンリンク通信チャネル上でネットワークエンティティからの送信を受信することであって、コードワードフォーマットが、TTIもしくはデータのトラフィックタイプのうちの少なくとも1つ、またはそれらの任意の組合せに依存する、受信することを行い得る。たとえば、UE110および/またはモデム140は、コードワードフォーマット(たとえば、第1のコードワードフォーマット174または第2のコードワードフォーマット176)に従ってダウンリンク通信チャネル上でネットワークエンティティ(たとえば、基地局105)からの送信を受信することであって、コードワードフォーマットが、TTIもしくはデータのトラフィックタイプのうちの少なくとも1つ、またはそれらの任意の組合せに依存する、受信することを行うために、受信決定構成要素150を実行し得る。
【００５６】
ブロック404において、方法400は、ネットワークエンティティからの送信を受信したことに応答して、アップリンク通信チャネル上でACKまたはNACKのうちの少なくとも1つを送信し得る。たとえば、UE110および/またはモデム140は、ネットワークエンティティからの送信を受信したことに応答して、アップリンク通信チャネル上でACK152またはNACK154のうちの少なくとも1つを送信するために、受信決定構成要素150を実行し得る。
【００５７】
いくつかの態様では、第2のコードワードフォーマットは、2つのコードワードを含み得る。図示されていないが、方法400は、ACK/NACKバンドリング構成要素158を介して、2つのコードワードにわたる単一のNDIを検出し、ACK/NACKバンドリング構成要素158を介して、コードワードのうちの少なくとも1つに関連付けられた少なくとも1つのTBの受信失敗を決定してもよい。さらに、ACK152またはNACK154のうちの少なくとも1つを送信することは、コードワードのうちの少なくとも1つに関連付けられた少なくとも1つのトランスポートブロックの受信失敗を決定したことに基づいて、NACK154を送信することを含み得る。
【００５８】
いくつかの態様では、図示されていないが、方法400は、送信長/サイズ決定器160を介して、アップリンク通信チャネル上で送信する際に第1のTTI長が使用されるべきかまたは第2のTTI長が使用されるべきかを決定してもよい。いくつかの態様では、ACK152またはNACK154のうちの少なくとも1つを送信することは、アップリンク通信チャネル上で送信する際に第1のTTI長が使用されるべきであるとの決定に基づいて、ACK/NACKバンドリングに従ってACK152またはNACK154のうちの少なくとも1つを送信することであって、第1のTTI長が2つのシンボルに対応する、送信することと、アップリンク通信チャネル上で送信する際に第2のTTI長が使用されるべきであるとの決定に基づいて、ACK/NACKバンドリングに従ったACK152またはNACK154のうちの少なくとも1つの送信を控えることであって、第2のTTI長が単一スロットのsTTIに対応する、控えることとを含み得る。いくつかの態様では、ACK/NACKバンドリングは、1msのTTI/スロットと2シンボルのTTI/スロットがアップリンクにおいて一致するときに利用され得る。
【００５９】
図4を参照すると、UE110の実装形態の一例は、様々な構成要素を含むことができ、そのうちのいくつかについてはすでに上記で説明したが、1つまたは複数のバス444を介して通信している、1つまたは複数のプロセッサ412、メモリ416、およびトランシーバ402などの構成要素を含み、これらの構成要素は、コードワードフォーマットに従ったデータの受信に基づいてACK/NACKを送信することに関連する本明細書で説明する機能のうちの1つまたは複数を可能にするために、モデム140および受信決定構成要素150と連携して動作し得る。さらに、1つまたは複数のプロセッサ412、モデム140、メモリ416、トランシーバ402、無線周波数(RF)フロントエンド488、および1つまたは複数のアンテナ465は、1つまたは複数の無線アクセス技術において音声呼および/またはデータ呼を(同時にまたは非同時に)サポートするように構成され得る。いくつかの態様では、モデム140は、モデム140と同じまたは同様であってもよい。
【００６０】
一態様では、1つまたは複数のプロセッサ412は、1つまたは複数のモデムプロセッサを使用するモデム140を含むことができる。受信決定構成要素150に関連する様々な機能は、モデム140および/またはプロセッサ412に含まれてもよく、一態様では、単一のプロセッサによって実行されてもよく、他の態様では、機能のうちの異なる機能が2つ以上の異なるプロセッサの組合せによって実行されてもよい。たとえば、一態様では、1つまたは複数のプロセッサ412は、モデムプロセッサ、またはベースバンドプロセッサ、またはデジタル信号プロセッサ、または送信機プロセッサ、または受信機プロセッサ、またはトランシーバ402に関連付けられたトランシーバプロセッサのうちの任意の1つまたは任意の組合せを含み得る。他の態様では、受信決定構成要素150に関連付けられた1つまたは複数のプロセッサ412および/またはモデム140の特徴のうちのいくつかは、トランシーバ402によって実行され得る。
【００６１】
また、メモリ416は、本明細書で使用するデータおよび/またはアプリケーション475のローカルバージョン、あるいは受信決定構成要素150および/または少なくとも1つのプロセッサ412によって実行されるそのサブ構成要素のうちの1つもしくは複数を記憶するように構成され得る。メモリ416は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ412によって使用可能な任意のタイプのコンピュータ可読媒体を含むことができる。一態様では、たとえば、メモリ416は、UE110が受信決定構成要素150および/またはそのサブ構成要素のうちの1つもしくは複数を実行するために少なくとも1つのプロセッサ412を動作させているとき、受信決定構成要素150および/またはそのサブ構成要素のうちの1つもしくは複数を定義する1つまたは複数のコンピュータ実行可能コード、ならびに/あるいはそれに関連付けられたデータを記憶する非一時的コンピュータ可読記憶媒体であり得る。
【００６２】
トランシーバ402は、少なくとも1つの受信機406および少なくとも1つの送信機408を含み得る。受信機406は、データを受信するためにプロセッサによって実行可能なハードウェア、ファームウェア、および/またはソフトウェアコードを含むことができ、コードは命令を備え、メモリ(たとえば、コンピュータ可読媒体)に記憶される。受信機406は、たとえば、RF受信機であり得る。一態様では、受信機406は、少なくとも1つの基地局105によって送信された信号を受信し得る。加えて、受信機406は、そのような受信信号を処理することができ、限定はしないが、Ec/Io、SNR、RSRP、RSSIなどの、信号の測定値を取得することもできる。送信機408は、データを送信するためにプロセッサによって実行可能なハードウェア、ファームウェア、および/またはソフトウェアコードを含むことができ、コードは命令を備え、メモリ(たとえば、コンピュータ可読媒体)に記憶される。送信機408の適切な例は、限定はしないが、RF送信機を含み得る。
【００６３】
さらに、一態様では、UE110は、1つまたは複数のアンテナ465と通信して動作し得るRFフロントエンド488と、無線送信、たとえば、少なくとも1つの基地局105によって送信されたワイヤレス通信またはUE110によって送信されたワイヤレス送信を受信および送信するためのトランシーバ402とを含み得る。RFフロントエンド488は、1つまたは複数のアンテナ465に接続されてもよく、RF信号を送信および受信するために、1つまたは複数の低雑音増幅器(LNA)490と、1つまたは複数のスイッチ492と、1つまたは複数の電力増幅器(PA)498と、1つまたは複数のフィルタ496とを含むことができる。
【００６４】
一態様では、LNA490は、所望の出力レベルで受信信号を増幅することができる。一態様では、各LNA490は、指定された最小および最大の利得値を有することができる。一態様では、RFフロントエンド488は、特定のアプリケーションの所望の利得値に基づいて、特定のLNA490およびその指定された利得値を選択するために、1つまたは複数のスイッチ492を使用することができる。
【００６５】
さらに、たとえば、1つまたは複数のPA498は、RF出力の信号を所望の出力電力レベルで増幅するために、RFフロントエンド488によって使用され得る。一態様では、各PA498は、指定された最小および最大の利得値を有することができる。一態様では、RFフロントエンド488は、特定のアプリケーションの所望の利得値に基づいて、特定のPA498および対応する指定された利得値を選択するために、1つまたは複数のスイッチ492を使用することができる。
【００６６】
また、たとえば、1つまたは複数のフィルタ496は、受信信号をフィルタリングして入力RF信号を取得するために、RFフロントエンド488によって使用され得る。同様に、一態様では、たとえば、それぞれのフィルタ496は、それぞれのPA498からの出力をフィルタリングして送信用の出力信号を生成するために使用され得る。一態様では、各フィルタ496は、特定のLNA490および/またはPA498に接続され得る。一態様では、RFフロントエンド488は、トランシーバ402および/またはプロセッサ412によって指定された構成に基づいて、指定されたフィルタ496、LNA490、および/またはPA498を使用して送信経路または受信経路を選択するために、1つまたは複数のスイッチ492を使用することができる。
【００６７】
したがって、トランシーバ402は、RFフロントエンド488を介して1つまたは複数のアンテナ465を通じてワイヤレス信号を送信および受信するように構成され得る。一態様では、UE110が、たとえば、1つもしくは複数の基地局105、または1つもしくは複数の基地局105に関連付けられた1つもしくは複数のセルと通信することができるように、トランシーバは、指定された周波数で動作するように同調され得る。一態様では、たとえば、モデム140は、UE110のUE構成およびモデム140によって使用される通信プロトコルに基づいて、指定された周波数および電力レベルで動作するようにトランシーバ402を構成することができる。
【００６８】
一態様では、モデム140は、デジタルデータがトランシーバ402を使用して送られ受信されるように、デジタルデータを処理し、トランシーバ402と通信することができる、マルチバンドマルチモードモデムとすることができる。一態様では、モデム140は、マルチバンドとすることができ、特定の通信プロトコルに対して複数の周波数帯域をサポートするように構成され得る。一態様では、モデム140は、マルチモードとすることができ、複数の動作ネットワークおよび通信プロトコルをサポートするように構成され得る。一態様では、モデム140は、指定されたモデム構成に基づいてネットワークからの信号の送信および/または受信を可能にするために、UE110の1つまたは複数の構成要素(たとえば、RFフロントエンド488、トランシーバ402)を制御することができる。一態様では、モデム構成は、モデムのモードおよび使用中の周波数帯域に基づき得る。別の態様では、モデム構成は、セル選択および/またはセル再選択中にネットワークによって提供される、UE110に関連付けられたUE構成情報に基づき得る。
【００６９】
図5を参照すると、基地局105の実装形態の一例は、様々な構成要素を含むことができ、そのうちのいくつかについてはすでに上記で説明したが、1つまたは複数のバス544を介して通信している、1つまたは複数のプロセッサ512、メモリ516、およびトランシーバ502などの構成要素を含み、これらの構成要素は、決定されたコードワードフォーマットに従ってデータを送信することに関連する本明細書で説明する機能のうちの1つまたは複数を可能にするために、モデム160およびコードワードフォーマット構成要素170と連携して動作し得る。
【００７０】
トランシーバ502、受信機506、送信機508、1つまたは複数のプロセッサ512、メモリ516、アプリケーション575、バス544、RFフロントエンド588、LNA590、スイッチ592、フィルタ596、PA598、および1つまたは複数のアンテナ565は、上記で説明したように、UE110の対応する構成要素と同じまたは同様であってもよいが、UE動作に対立するものとして基地局動作のために構成されるか、または他の方法でプログラムされることがある。
【００７１】
添付の図面に関して上記に記載した上記の詳細な説明は、例について説明しており、実装され得るかまたは特許請求の範囲内に入る唯一の例を表すものではない。「例」という用語は、本明細書で使用されるとき、「例、事例、または例示として働く」ことを意味し、「好ましい」または「他の例よりも有利な」を意味しない。詳細な説明は、説明する技法の理解を与える目的で、具体的な詳細を含む。しかしながら、これらの技法は、これらの具体的な詳細なしに実践され得る。いくつかの事例では、説明する例の概念を不明瞭にすることを回避するために、よく知られている構造および装置はブロック図の形態で示される。
【００７２】
情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００７３】
本明細書の本開示に関して説明する様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せなどの、特別にプログラムされたデバイスを用いて実装または実行され得る。特別にプログラムされたプロセッサは、マイクロプロセッサであってもよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００７４】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００７５】
コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る任意の他の媒体を備えることができる。また、いかなる接続も、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【００７６】
本開示の前述の説明は、当業者が本開示を作成または使用することができるように与えられる。本開示の様々な修正は、当業者に容易に明らかになり、本明細書で定義する一般原理は、本開示の趣旨または範囲から逸脱することなく、他の変形形態に適用され得る。さらに、説明する態様および/または実施形態の要素は単数形で説明または特許請求されている場合があるが、単数形への限定が明示的に記載されていない限り、複数形が企図される。加えて、任意の態様および/または実施形態の全部または一部分は、別段に記載されていない限り、任意の他の態様および/または実施形態の全部または一部分とともに利用され得る。したがって、本開示は、本明細書で説明する例および設計に限定されるべきではなく、本明細書で開示する原理および新規の特徴と一致する最も広い範囲を与えられるべきである。
【符号の説明】
【００７７】
100  ワイヤレス通信ネットワーク
105  基地局
110  UE
120  バックホールリンク
135  ワイヤレス通信リンク
140  モデム
150  受信決定構成要素
152  ACK
154  NACK
158  ACK/NACKバンドリング構成要素
160  モデム
160  送信長/サイズ決定器
170  コードワードフォーマット構成要素
172  再送信構成要素
174  第1のコードワードフォーマット
176  第2のコードワードフォーマット
300  方法
400  方法
402  トランシーバ
406  受信機
408  送信機
412  プロセッサ
416  メモリ
444  バス
465  アンテナ
475  アプリケーション
488  無線周波数(RF)フロントエンド、RFフロントエンド
490  低雑音増幅器(LNA)、LNA
492  スイッチ
496  フィルタ
498  電力増幅器(PA)、PA
502  トランシーバ
506  受信機
508  送信機
512  プロセッサ
516  メモリ
544  バス
565  アンテナ
575  アプリケーション
588  RFフロントエンド
590  LNA
592  スイッチ
596  フィルタ
598  PA
【要約】
本開示は、ワイヤレス通信システムにおける制御オーバーヘッドを低減することに関する。たとえば、ネットワークエンティティは、送信時間間隔(TTI)もしくはデータのトラフィックタイプのうちの少なくとも1つ、またはそれらの任意の組合せに基づいて、コードワードフォーマットに従ってデータを送信すると決定し、コードワードフォーマットに従って通信チャネル上で送信するためのデータを構成し得る。さらに、たとえば、ユーザ機器は、コードワードフォーマットに従ってダウンリンク通信チャネル上でネットワークエンティティからの送信を受信し、ネットワークエンティティからの送信を受信したことに応答して、アップリンク通信チャネル上で肯定応答(ACK)または否定応答(NACK)のうちの少なくとも1つを送信し得る。【図１】
0006650553.tif 000002
【図２】
0006650553.tif 000003
【図３】
0006650553.tif 000004
【図４】
0006650553.tif 000005
【図５】
0006650553.tif 000006